(57)【特許請求の範囲】
【請求項１】
カーテンに取付けられる弾性合成樹脂製の本体と、この本体に結合され、ランナの吊り環へ掛け止め可能な弾性合成樹脂製のフック体とから成り、
前記本体は、カーテンへの装着状態において縦方向に伸びる主杆と、カーテンのひだ部へ下方から挿入するために、主杆の下部からそれの後方へ延出して上方へ屈曲し、主杆の背部に沿って上方へ伸びる挿入杆と、
カーテンのひだ部へ上方から挿入するために、主杆の上部から後方へ延出して前記挿入杆と対向するように下向きに突出した係止突片とを具備し、
前記挿入杆は、前記主杆の長さの中央に到らない高さ位置で終結し、かつ下方から上方に向かうに従って徐々に前記主杆へ接近して主杆との間でカーテンを弾性的に挾持する挾持部を有し、
前記係止突片は、主杆の上部から延出する柔軟な連結片と、この連結片の先端に形成された結合片とから成り、この結合片は、装着時にカーテンを貫いて前記主杆の背部に形成された対応係合部に係合する係合部を有することを特徴とするカーテン吊り具。
【請求項２】
カーテンに取付けられる弾性合成樹脂製の本体と、この本体に結合され、ランナの吊り環へ掛け止め可能な弾性合成樹脂製のフック体とから成り、
前記本体は、カーテンへの装着状態において縦方向に伸びる主杆と、カーテンのひだ部へ下方から挿入するために、主杆の下部からそれの後方へ延出して上方へ屈曲し、主杆の背部に沿って上方へ伸びる挿入杆と、
カーテンのひだ部へ上方から挿入するために、主杆の上部から後方へ延出して前記挿入杆と対向するように下向きに突出した係止突片とを具備し、
前記主杆は、装着時にカーテンを貫いて後方へ突出する係合部を上部背面側に有し、
前記挿入杆は、前記主杆の長さの中央に到らない高さ位置で終結し、かつ下方から上方に向かうに従って徐々に前記主杆へ接近して主杆との間でカーテンを弾性的に挾持する挾持部を有し、
前記係止突片は、主杆の上部から延出する柔軟な連結片と、この連結片の先端に形成された結合片とから成り、この結合片は、装着時にカーテンを貫いて突出する前記主杆の係合部に係合する対応係合部を有することを特徴とするカーテン吊り具。
【請求項３】
前記主杆に対して前記フック体がラチェット式に上下方向に相対移動自在に結合されていることを特徴とする請求項１又は２に記載のカーテン吊り具。
【発明の詳細な説明】
【０００１】
【発明の属する技術分野】
本発明は、合成樹脂製のカーテン吊り具に関するものである。
【０００２】
【従来の技術】
従来、合成樹脂製のカーテン吊り具として、例えば実開昭６１−１６５６８２号の公報に記載されたものが知られている。このカーテン吊り具は、カーテンに取付けられる本体と、この本体に一体または別体で結合され、ランナの吊り環へ掛け止め可能なフック体とを有する弾性合成樹脂製のカーテン吊り具であって、本体が、縦方向の主杆と、主杆の上部からそれの後方へ延出した後、下方へ湾曲し、主杆の背部に沿って下方へ伸びる挿入杆と、主杆の下部から後方へ延出した後、挿入杆と対向するように上向きに突出した係止突起とから構成されるものである。挿入杆をカーテンのひだ部へ上方から挿入して、ひだ部の下縁を係止突片と主杆の下部との間に挾んで掛け止めるように使用される。
ところが、上記従来の吊り具においては、挿入杆が下方へ比較的長く伸びているため、これをカーテンに挿入するのに手間がかかる難点があり、また小型、軽量化の要請に対応できない。さらに、カーテンの荷重を支持する部位が係止突起の部位であるのにかかわらず、この係止突起とカーテンとの係合が浅いので、吊り具がカーテンから離脱する恐れがある。
【０００３】
【発明が解決しようとする課題】
従って、本発明は、カーテンへの挿入に手間がかからず、小型、軽量化が可能で、外力により容易にカーテンから脱落することのない合成樹脂製のカーテン吊り具を提供することを課題としている。
【０００４】
【課題を解決するための手段】
本発明においては、上記課題を解決するため、カーテンＣに取付けられる本体２と、この本体２に一体または別体で結合され、ランナの吊り環へ掛け止め可能なフック体３とを有する弾性合成樹脂製のカーテン吊り具において、本体２に、主杆４、挿入杆５、係止突片６を具備させる。主杆４は、装着時にカーテンに対して縦方向に真っ直に伸びるように構成する。挿入杆５は、カーテンのひだ部へ下方から挿入できるように、主杆４の下部からそれの後方へ延出させたうえ、上方へ湾曲させて、主杆４の背部に沿って上方へ伸長させる。さらに挿入杆５は、主杆４の長さの中央に到らない高さ位置で終結させ、かつ下方から上方に向かうに従って徐々に主杆４へ接近する挾持部８を設け、この挾持部８と主杆４との間でカーテンＣを弾性的に挾持するようにする。係止突片６は、カーテンＣのひだ部Ｃ１へ上方から挿入できるように、主杆４の上部から後方へ延出させたうえ、挿入杆５と対向するように下向きに突出させる。
【０００５】
本発明のカーテン吊り具１は、本体２をカーテンＣに固定し、フック体３をランナの吊り環にひっかけて使用する。本体２は、その挿入杆５をカーテンＣのひだ部Ｃ１に下方から上方へ向けて挿入した後、係止突片６をひだ部Ｃ１の上縁から下方へ向けて挿入してカーテンＣに取付ける。挿入杆５は、主杆４の長さの中央に到らない長さで、比較的短いので、小型、軽量化され、カーテンへの挿入ストロークが短く、装着が容易である。挿入杆５は、比較的短いにもかかわらず、挾持部８と主杆４との間でカーテンＣを弾性的に挾持し、十分に強固な結合が得られる。挿入杆５をひだ部Ｃ１へ挿入した後、ひだ部Ｃ１の上縁を下方へわずかに圧縮して、係止突片６をひだ部Ｃ１の上縁に掛け、これを主杆４との間で保持する。装着後の主杆４の前後方向の傾倒や左右方向の揺動は、係止突片６によって阻止される。
【０００６】
【発明の実施の形態】
図面を参照して本発明の実施の形態を説明する。図１は本発明に係るカーテン吊り具のカーテンへの装着状態の正面図、図２は本発明に係るカーテン吊り具の正面図、図３は本発明に係るカーテン吊り具の左側面図、図４は本発明に係るカーテン吊り具の右側面図である。
【０００７】
図１，２において、カーテン吊り具１は、カーテンに取付けられる弾性合成樹脂製の本体２と、この本体２に対して上下方向に相対移動可能にラチェット式に係合する弾性合成樹脂製のフック体３とから成る。
【０００８】
本体２は、ラチェット歯７を備えた縦方向に伸びる主杆４と、その後部（装着時におけるカーテンＣ側）に設けられた挿入杆５と係止突片６とを具備している。主杆４の左右の前面には、ラチェット歯７が縦方向に列設されている。挿入杆５は、主杆４の下端から後方へ延出して屈曲し、主杆４の背部に沿って上方へ伸び、主杆４の長さの中央に到らない高さ位置で終結している。挿入杆５には、下方から上方に向かうに従って徐々に主杆４へ接近する挾持部８を設け、この挾持部８と主杆４との間でカーテンＣを弾性的に挾持するようにする。係止突片６は、カーテンＣのひだ部Ｃ１へ上方から挿入できるように、主杆４の上部から後方へ延出させたうえ、挿入杆５と対向するように下向きに突出させる。ひだ部Ｃ１の上縁が係止突片６と主杆４との間に保持される。
【０００９】
この実施形態のカーテン吊り具１は、本体２をカーテンＣに固定し、フック体３を図示しないランナの吊り環にひっかけて使用する。本体２は、その挿入杆５をカーテンＣのひだ部Ｃ１に下方から上方へ向けて挿入した後、ひだ部Ｃ１を圧縮するように上縁を押し下げて係止突片６をひだ部Ｃ１の上縁から下方へ向けて挿入し、係止突片６と主杆４との間にひだ部Ｃ１上縁の縫合部を挾んでカーテンＣに取付ける。フック３は、ラチェット爪９を弾性的に撓ませつつ本体２に対して下方へ移動させて、その高さ位置を定める。
【００１０】
図５ないし図７に本発明の他の実施形態のカーテン吊り具を示す。図５は、カーテン吊り具の一部の正面図、図６は同カーテン吊り具の一部の側面図、図７は同カーテン吊り具のカーテンへの装着状態の一部の正面図である。
【００１１】
図５ないし図７に示す実施形態において、図示しない部分及び同一符号部分はすべて先の実施形態と同等の構成である。この実施形態において、係止突片１６は、主杆４の上部から延出する柔軟な連結片１６ａと、この連結片１６ａの先端に形成された結合片１６ｂとから成り、この結合片１６ｂは、装着時にカーテンＣを貫いて主杆４の背部に形成された対応係合部４ａに係合する係合部１６ｃを有する。係合部１６ｃは円錐ピン状であり、対応係合部４ａは係合部１６ｃを相当の把持力を持って受け入れる円形穴である。係合部１６ｃの形状は、円錐ピン状に限定されず、板状、角柱状等他の適宜の形状を取りうる。これに対応して対応係合部４ａの形状も変更可能である。
【００１２】
このカーテン吊り具１をカーテンＣに装着する際には、図７に示すように、係合部１６ｃをカーテンＣの縫合部Ｃ２を貫いて主杆４側へ突出させ、対応係合部４ａへ圧入して結合する。これにより、カーテン吊り具１の前後、左右への揺動、脱落が防止される。カーテンＣの縫合部Ｃ２には、係合部１６ｃの貫通を容易にするため、必要に応じて縫合欠落部を設けたり、縫い目を粗くする等の処理を施すことができる。
【００１３】
図８、図９に本発明のさらに他の実施形態のカーテン吊り具を示す。図８はカーテン吊り具の一部の正面図、図９は同カーテン吊り具の一部の側面図である。
【００１４】
図８、図９に示す実施形態において、図示しない部分及び同一符号部分はすべて図１ないし図４に示す実施形態と同等の構成である。この実施形態において、係止突片２６は、主杆４の上部から延出する柔軟な連結片２６ａと、この連結片２６ａの先端に形成された結合片２６ｂとから成る。この結合片２６ｂは、係合部２６ｃとしての円形穴を備える。結合片２６ｂは、成型を容易にするため、２つのほぼ半円環状の片に分割して構成される。主杆４の背部に形成された対応係合部４ｂは、装着時にカーテンＣを貫いて後方へ突出し、係合部２６ｃに係合する。係合部４ｂは円錐ピン状であり、係合部２６ｃは、係合部４ｂを相当の把持力をもって受け入れる。係合部４ｂの形状は、円錐ピン状に限定されず、板状、角柱状等他の適宜の形状を取りうる。これに対応して係合部２６ｃの形状も変更可能である。先の実施形態と同様、カーテンＣの縫合部Ｃ２に、係合部４ａの貫通を容易にするため、必要に応じて縫合欠落部を設けたり、縫い目を粗くする等の処理を施すことができる。
【００１５】
本発明は図示の実施形態に限定されるものではなく、例えば、吊り具１の本体２とフック体３とを合成樹脂で一体成型することができる。
【００１６】
【発明の効果】
以上のように、本発明においては、挿入杆５が、比較的短いので、小型、軽量化され、カーテンへの挿入ストロークが短く、装着が容易である。挿入杆５は、比較的短いにもかかわらず、挾持部８と主杆４との間でカーテンＣを弾性的に挾持し、十分に強固な結合が得られる。装着後の主杆４の前後方向の傾倒や左右方向の揺動は、係止突片６によって確実に阻止され、外力により容易に変形したり脱落したりすることのない合成樹脂製のカーテン吊り具を提供することができる。
【図面の簡単な説明】
【図１】本発明に係るカーテン吊り具のカーテンへの装着状態の正面図である。
【図２】本発明に係るカーテン吊り具の正面図である。
【図３】本発明に係るカーテン吊り具の左側面図である。
【図４】本発明に係るカーテン吊り具の右側面図である。
【図５】本発明に係るカーテン吊り具の他の実施形態の一部の正面図である。
【図６】図５に示すカーテン吊り具の側面図である。
【図７】図６に示すカーテン吊り具のカーテンへの装着状態の一部の正面図である。
【図８】本発明に係るカーテン吊り具のさらに他の実施形態の一部の正面図である。
【図９】図８に示すカーテン吊り具の側面図である。
【符号の説明】
１  カーテン吊り具
２  本体
３  フック体
４  主杆
５  挿入杆
６  係止突片
Ｃ  カーテン
Ｃ１  ひだ部
Ｃ２  縫合部
【図１】
0004024926.tif 000002
【図２】
0004024926.tif 000003
【図３】
0004024926.tif 000004
【図４】
0004024926.tif 000005
【図５】
0004024926.tif 000006
【図６】
0004024926.tif 000007
【図７】
0004024926.tif 000008
【図８】
0004024926.tif 000009
【図９】
0004024926.tif 000010